Podtech/llm-jp-corpus-v4-ja_patent huggingface dataset:
(57)【要約】  【課題】  省エネルギを達成しつつ室内および壁内の通気が円滑かつ十分に行われ、しかも、良好な施工性を維持しつつ構造強度を十分となる建築パネルを提供すること。【解決手段】    本建築パネルは木造建築に適用されるものである。すなわち、各横部材１１の各縦部材２１の間の部分の室内側の側面に構造用合板３１を介して内側断面部材４１を設け、各縦部材２１の外側側面に外側断熱材５１を設け、内側断熱材４１および構造用合板３１を貫通する空気流通口６１を設けた構成とする。【選択図】  図１
0003108357.tif 000002
【実用新案登録請求の範囲】
【請求項１】
横方向に伸延する複数本の木製の横部材と、縦方向に伸延し前記各横部材とは交差しかつ当該交差部分が固定された複数本の木製の縦部材と備え、前記各横部材の前記各縦部材の間の部分に通気用の溝を形成し、前記各横部材の前記各縦部材の間の部分の室内側の側面に構造用合板を介して内側断面部材を設け、前記各縦部材の外側側面に外側断熱材を設け、前記内側断熱材および前記構造用合板を貫通する空気流通口を設けたことを特徴とする建築パネル。
【考案の詳細な説明】
【技術分野】
【０００１】
本考案は、嵌め込み式の建築パネルに関する。
【背景技術】
【０００２】
最近、木造建築において、施工性が容易であることなどから、建築パネルを使用した建築工法（いわゆるプレハブ工法）が盛んに用いられるようになっている。例えば、建築パネルの一例として特許文献１に開示されたものがある。
【０００３】
この特許文献１に係る建築パネルは、柱と梁を含む枠状部に嵌め込まれる枠体と、上記枠体内に収容される断熱 材とを備えた構成とされている。
【特許文献１】特開２００３−４１６８６
【考案の開示】
【考案が解決しようとする課題】
【０００４】
ところで、上記した特許文献１に係る建築パネルでは、室内および壁内の通気が良好でない欠点がある。
【０００５】
また、構造的に十分でない指摘がある。特に、横方向に荷重の変形に弱いといわれている。これを解消する一方策として、建築パネルに斜め材である筋交い（スジカイ）を組み込むことが考えられる。しかし、建築パネルに筋交いを組み込むと、斜め材が入ることにより、断熱材等が施工しにくくなる。また、断熱材が不十分に施工されることにより断熱性能が低下する不都合も生じる。
【０００６】
本考案の目的は、省エネルギを達成しつつ室内および壁内の通気が円滑かつ十分に行われ、しかも、良好な施工性を維持しつつ構造強度も十分な建築パネルを提供することにある。
【課題を解決するための手段】
【０００７】
上記目的を達成するために、請求項１の考案は、横方向に伸延する複数本の木製の横部材と、縦方向に伸延し前記各横部材とは交差しかつ当該交差部分が固定された複数本の木製の縦部材と備え、前記各横部材の前記各縦部材の間の部分に通気用の溝を形成し、前記各横部材の前記各縦部材の間の部分の室内側の側面に構造用合板を介して内側断面部材を設け、前記各縦部材の外側側面に外側断熱材を設け、前記内側断熱材および前記構造用合板を貫通する空気流通口を設けたものである。
【０００８】
上記請求項１の考案の場合、各横部材に形成された通気用溝を介して、空気が本建築パネル内を空気が流通するので、壁内の通気が円滑かつ十分に行われる。また、空気流通口を介して取り込まれた室内の空気は、本建築パネル内の通風層に入り、例えば、当該通風層から天井裏の空間に入り、棟換気装置から外気に放出されるので、室内の通気も円滑かつ十分に行われる。また、筋交いのような斜め材を用いないので、施工性がよい。しかも複数本の横部材と複数本の縦部材とが交差し、かつ当該交差部分は固定されている（剛接合）ので、構造的にも強い。
【考案の効果】
【０００９】
請求項１の考案によれば、複数本の木製の横部材と、縦方向に伸延し各横部材とは交差しかつ当該交差部分が固定された複数本の木製の縦部材と備え、各横部材の前記各縦部材の間の部分に通気用の溝を形成し、各横部材の各縦部材の間の部分の室内側の側面に構造用合板を介して内側断面部材を設け、各縦部材の外側側面に外側断熱材を設け、内側断熱材および構造用合板を貫通する空気流通口を設けたので、省エネルギを達成しつつ室内および壁内の通気が円滑かつ十分に行われ、しかも、良好な施工性を維持しつつ構造強度を十分となる。
【考案を実施するための最良の形態】
【００１０】
本考案の最良の実施形態を図面に基づき説明する。
【００１１】
本考案に係る建築パネルは、図１および図２に示すように、複数本の木製の横部材１１と、縦方向に伸延し各横部材１１とは交差しかつ当該交差部分が固定された複数本の木製の縦部材２１と備え、各横部材１１の各縦部材２１の間の部分に通気用の溝１５を形成し、各横部材１１の各縦部材２１の間の部分の室内側の側面に構造用合板３１を介して内側断面部材４１を設け、各縦部材２１の外側側面に外側断熱材５１を設け、内側断熱材４１および構造用合板３１を貫通する空気流通口６１を設けた構成とされている。なお、図１では、外側断面材５１は、本建築パネルの構造を一段と明確に示すために省略してある。また、図１では、空気流通口６１は図示を省略してある。本建築パネルは、嵌め込み式の壁パネルとして本実施例では使用される。なお、空気流通口６１から入った室内の空気は、壁パネルとしての本建築パネル内の通気層（各横部材１１と各縦部材２１との間に形成された空き空間）を通り小屋裏（図示省略）を介して棟換気装置（図示省略）から外へ放出される。内側断面部材４１の室内側には、仕上げ材（図示省略）が張られる。また、外側断熱材５１の外側には、透湿シートを介して外装材（サイディング等）７５が張られる。
【００１２】
なお、本建築パネルは、床や天井を形成する場合にも使用可能である。
【００１３】
上記構成の本建築パネルによれば、省エネルギを達成しつつ室内および壁内の通気が円滑かつ十分に行われ、しかも、良好な施工性を維持しつつ構造強度を十分となる。
【図面の簡単な説明】
【００１４】
【図１】本考案の実施形態を説明するための斜視図である。
【図２】本考案の実施形態を説明するための平面図である。
【符号の説明】
【００１５】
１１  横部材
２１  縦部材
３１  構造用合板
４１  内側断熱材
５１  外側断熱材
６１  空気流通口
【図１】
0003108357.tif 000003
【図２】
0003108357.tif 000004
(57)【要約】      （修正有）【課題】自動車、オ−トバイのオイルフィルタ−脱着作業を、容易に且つ迅速に実施するために用いる工具を提供する。【解決手段】本考案は市販の金属パイプ及びナイロン糸平ベルトを用い、安価にて製作し得る工具である。エンジン付近の狭隘な箇所に装着されているオイルフィルタ−の脱着作業の用に供されている工具類は、多くがその取扱に習練を要するが、本考案になる工具においてはその取扱が極めて簡単であり、特段の習練を要することなくオイルフィルタ−の脱着作業を実施することが可能となる。【選択図】図３
0003108819.tif 000002
【実用新案登録請求の範囲】
【請求項１】
金属製パイプの一端にナイロン系平ベルトを固着させ、反対側の端面をプレス等で平面が出るまで潰し、更に取っ手用丸棒を装着するために、パイプの中心部を貫通する穴をあけた、オイルフィルタ−脱着工具
【考案の詳細な説明】
【技術分野】
【０００１】本発明は複雑な自動車エンジン、ミッション周囲の狭い空間に装着されているネジ込み式オイルフィルタ−の脱着作業を容易にし、その工程時間数の短縮を実現するものである。
【背景技術】
【０００２】自動車、オ−トバイ等のエンジンには、必ずその周辺にオイルフィルタ−が装着されており、当該オイルフィルタ−はエンジン稼働時数に応じて定期的に整備を要するものとされている。
然るにその装着場所はエンジン室の空間効率を高めるため、極めて狭隘であることが常であり、更にその形状が多角形或は単純円形等多様であり、その脱着作業には技術的熟練と複数の特殊工具を必要としていた。
【考案の開示】
【考案が解決しようとする課題】
【０００３】自動車、オ−トバイのエンジン構造が複雑になり小型化になる傾向に伴い各消耗部品の脱着に多くの時間と特殊工具が必要になってきている。その中でオイルフィルタ−が装着されている空間も狭くなり、その形状も変化して来て脱着作業には多くの時数を要し、又、脱着工具も各種取り揃えなければならずその費用負担も相当なものとなっている
本考案の発明は、当該脱着時数の削減並びに工具数の節減を課題として、安価の内にその解決を図るものである。
【課題を解決するための手段】
【０００４】金属パイプ（３）に固定されているナイロン系平ベルト（２）を、オイルフィルタ−（１）の中央付近まで挿入して金属パイプを反時計回りに回転させ、オイルフィルタ−の外周面を締め付け、さらに（６）モンキ−或いは（４）の穴に丸棒を挿入して反時計回りに回転させる。
このとき、オイルフィルタ−と平ベルトの間に強力な摩擦抵抗が発生して、空回りをすることなく回転力が掛かる為、ネジ込み式のオイルフィルタ−を離脱させることが出来、この逆を行えば装着が出来る。
【考案の効果】
【０００５】本考案の工具はエンジン室の狭い空間で、工具を小角度しか回せない場所でも、フレキシブルな平ベルトの摩擦抵抗を利用する簡単な構造であり、締め付け、弛めの回転動作を繰り返すことによってオイルフィルタ−の脱着を容易に行う効果がある。
【考案を実施するための最良の形態】
【０００６】金属パイプと平ベルトの取り付け方法は、金属パイプの端面から５ミリの位置に平ベルトと同じ幅で、当該平ベルトを二枚重ねた厚みの長穴をあけ、そこに当該平ベルトを通してパイプの内側に５ミリ程度を出し、ハンダコテで溶固させる。
【実施例】
【０００７】金属パイプの口径は１５ミリから２０ミリの範囲とし、長さは１５０ミリから２００ミリの範囲が取扱に便利である。
平ベルトは溶着可能な材質であることを要し、本考案においてはナイロン製を採用している。又、平ベルトの幅は、有効な摩擦抵抗を得るために３０ミリは必要であり、その厚みは１．２ミリから１．６ミリが適当である。長さは、本考案の実施対象である各種オイルフィルタ−の脱着に適応させるために、４５０ミリのものを採用している。
【産業上の利用可能性】
【０００８】円形もしくは多角形の棒状の物体でネジ込み式に使用されているものに対しては、その脱着について各種の器具工具が供用されているが、いずれも高価もしくは使用方法が複雑なため、本来軽作業であるはずの作業が難作業化していることが少なくない。本考案は極めて簡単な構造であり、安価に製作することが可能で、金属パイプの口径、長さ、又、平ベルトの幅、長さを多様に展開すれば、産業上の利用可能性も幅広く認めることが出来る。
【図面の簡単な説明】
【０００９】
【図１】本考案の実施形状を示すものである。
【図２】本考案の平ベルト部分をオイルフィルタ−に装着しようとする図である。
【図３】図２の後、金属パイプを回転させつつ、平ベルトをオイルフィルタ−に締め付けて摩擦抵抗を得、更にスパナにより強固に締め付けることでオイルフィルタ−に回転力を与えている図である。
【符号の説明】
【００１０】１  ネジ込み式オイルフィルタ−
２  平ベルト（ナイロン系）
３  金属パイプ
４  丸棒挿入穴
５  スパナ掛け
６  スパナ或はモンナキ−
７  平ベルト溶固部
【図１】
0003108819.tif 000003
【図２】
0003108819.tif 000004
【図３】
0003108819.tif 000005
(57)【要約】      （修正有）【課題】本考案は排気管フランジにギア駆動によるスライドバルブを装備し、排気音量を自在に、安全かつ容易に調整できる自動車用廃棄音量調整フランジを提供する。【解決手段】本考案は排気音量調整フランジ本体１００に調整スライドバルブ２を設け開閉動作を行うために、調整バルブガイド溝１２を装備したフランジベース１４にガイドベアリング受軸ガイドベアリング６および調整ギア４を装備し、軸受けベアリング２２を介し調整ダイヤルを装備したフランジカバーを装着することにより密閉される。車両における排気管フランジとの接続に接続ボルト取り付け穴８を使用し装着する。調整ダイヤルを回し、スライドバルブ２を開閉することにより排気ガス通路１０の面積を調整することで排気音量の調整が可能となる。【選択図】図１
0003108818.tif 000002
【実用新案登録請求の範囲】
【請求項１】
自動車用排気管をつなぐ排気管フランジに排気音量を調整するスライドバルブを内設し、スライドバルブは外部ダイヤルを介しギアによって自在に開閉できる自動車用排気音量調整フランジ。
【考案の詳細な説明】
【技術分野】
【０００１】本考案は、自動車用排気管をつなぐ排気管フランジに排気音量を調整するスライドバルブを設けた、排気管フランジに関するものである。
【背景技術】
【０００２】自動車の排気音量下げる際に、排気管後部に消音器を取り付けていた。
【考案の開示】
【考案が解決しようとする課題】
【０００３】排気音量を下げる消音器は都度取り付け、取り外しを必要とし、自動車用排気管は高温になっている場合は作業が困難で長期間の装着においてはサイレンサーとの固着があり取り外しが困難である。従って、自動車用排気管をつなぐ排気管フランジ部分に調整バルブを内設する事により、安全かつ容易に排気音量を調整することが可能になり、前述の欠点を解決しようとするものである。
【課題を解決するための手段】
【０００４】本考案は、自動車用排気管をつなぐ排気管フランジに自動車の排気音量を調整するスライドバルブを内設し、スライドバルブを外部ダイヤルにより自在に開閉できるようにすることで問題を解決している。
【考案の効果】
【０００５】上述の様に、本考案の自動車用排気音量調整フランジは、自動車用排気管をつなぐ事は勿論、自動車用排気管をつなぐ排気管フランジに排気音量を調整するスライドバルブを設けることで容易且つ安全に排気音量を調整できる。
【考案を実施するための最良の形態】
【０００６】自動車の排気管に自動車用排気音量調整フランジ本体を溶接し、取り付けされる。フランジ本体に内装されるスライドバルブがダイヤルを介してギアにより開閉動作させる。この開閉動作により、排気ガスの流量調節が可能となり、音量の調整が容易且つ自在に行うことができる。
【実施例】
【０００７】以下、添付図面に従って実施例を説明する。１４は金属を用い、２を移動させるために必要な６を支持する１８が装備されている。６は１０を通過する排気ガスの流量を調節するために必要な２を支持し、２は１６及び２２を介し４の回転によりギア構造によって１２に沿い移動する。【０００８】本考案における１００は上述に２０を装着することにより密閉される。
１００と車両側排気管フランジ（図示せず）を８に取り付け用ボルトおよびナット（図示せず）を用い固定することで排気漏れなく自在に安全かつ容易に排気音量の調節ができる。
【図面の簡単な説明】
【０００９】
【図１】本考案の全開時の正面透視図である。
【図２】本考案の全閉時の正面透視図である。
【図３】本考案の全開時の側面透視図である。
【図４】本考案の全開時及び全閉時の正面図である。
【符号の説明】
【００１０】２      調整スライドバルブ
４      調整ギア
６      ガイドベアリング
８      接続ボルト取り付け穴
１０    排気ガス通路
１２    調整バルブガイド溝
１４    フランジベース
１６    調整ダイヤル
１８    ガイドベアリング受軸
２０    フランジカバー
２２    軸受けベアリング
１００  排気音量調整フランジ本体
【図１】
0003108818.tif 000003
【図２】
0003108818.tif 000004
【図３】
0003108818.tif 000005
【図４】
0003108818.tif 000006
(57)【要約】【課題】血行が良くなる入浴中の浴槽内側面、又は家庭内の壁や家具等の側面に取り付けることによって、足の裏を押し当てて足の裏のつぼをマッサージできる、簡単に取り付け取り外し持ち運びができ、個人の体格差にも対応しうる小型軽量のマッサージ器を提供する。【解決手段】足の裏を押し当ててマッサージできるような球状部３の下部に、吸盤の機能を持つ吸盤部１を作ることにより、吸盤部分を浴槽内側、壁や家具等の側面に貼り付け、球状の部分に足のつぼを押し当ててマッサージできるようにする。又、取り付け部分を吸盤にすることにより、簡単に取り付け取り外し持ち運びができ、個人の体格差にも対応できるようにする。【選択図】図２
0003108813.tif 000002
【実用新案登録請求の範囲】
【請求項１】
足の裏を押し当ててマッサージできる球状部３の下部に、吸盤の機能を有効にするための中間部２と、その下部に吸盤の機能を持つ吸盤部３を作製した足の裏マッサージ器。
【考案の詳細な説明】
【技術分野】
【０００１】本発明は、血行が良くなる入浴中の浴槽内側面、又は家庭内の壁やデスク等の側面に取り付けることによって、足の裏のつぼをマッサージできる、簡単に取り付け取り外し、持ち運びができる小型軽量のマッサージ器である。
【背景技術】
【０００２】従来は、浴槽等の側面に簡単に取り付け取り外しでき、旅行する時などに小さなバックにも入れられるような、小型軽量の足の裏マッサージ器がなかった。
【考案の開示】
【考案が解決しようとする課題】
【０００３】電気等のエネルギーを使用せず、持ち運びができ、移動先でも足の裏をマッサージできるものはできないか、同時に、特に血行が良くなる入浴中に足の裏をマッサージすることによって、そのマッサージ効果をさらに促進させることができないかということが課題。本発明は、この課題を解決するためになされたものである。
【課題を解決するための手段】
【０００４】足の裏を押し当てることによりマッサージができる球状部３の下部に、取り付け取り外しが簡単にできる吸盤の機能をもつ吸盤部１を作ることにより、吸盤部１を浴槽内側等に吸着させることにした。
【考案の効果】
【０００５】本発明を、壁や家具等の側面又は浴槽内部に取り付け、足の裏のさまざまな部位を本発明に押し当てることにより、マッサージ効果を得られる。特に浴槽内では、押し当てる動作を繰り返すことにより、結果的に浴槽内で軽運動をしていることになり、それがより血行を促進させる。  また、取り付け部分を吸盤にしたことにより取り付け取り外しが容易な為、様々な場所でのマッサージが可能であり、個人の体格差に合わせて取り付け位置も移動可能となり、小型軽量でもある為旅先にも携行できる。
【実施例】
【０００６】図１に示すように、吸盤部１と吸盤の機能を有効にするための円柱状の中間部２とそれにつながる球の一部分をけずったような球状部３から形成される。吸盤部１は吸盤の機能を果たせるような合成樹脂、中間部２は力が加えられても変形しない強度を持ったゴム又は合成樹脂、球状部３は硬質のゴム又は合成樹脂がのぞましい。
図２に示すように、吸盤部１を浴槽内側に吸着させ、足の裏のさまざまな部位を繰り返し球状部３に押し当てることにより、マッサージ効果を得られる。特に浴槽内では、血行が良くなる状態での軽運動にもなり、さらなる血行促進、マッサージ効果促進が得られる。
【図面の簡単な説明】
【０００７】
【図１】  本発明の断面図である。
【図２】  本発明の使用状態を示した断面図である。
【図３】  本発明の平面図である。
【符号の説明】
【０００８】  １吸盤部
２中間部
３球状部
【図１】
0003108813.tif 000003
【図２】
0003108813.tif 000004
【図３】
0003108813.tif 000005
(57)【要約】      （修正有）【課題】ストックを脚として利用できるカメラ保持具を開発し、負担を軽減する。【解決手段】２本以上のストックを脱着できる接続具を備えた器具にカメラ取付け器具を組み合わせ、登山等に使用するストックを脚として利用することにより、比較的軽量なカメラ保持具とする。二脚式であるため前後・左右何れかの開脚方向への固定しかできず、もう一方の方向でのカメラぶれは排除できないが、カメラぶれの懸念が一方向に限定されるため、撮影者自身の保持により比較的容易にカメラぶれを排除する操作が可能となる。【選択図】図１
0003108815.tif 000002
【実用新案登録請求の範囲】
【請求項１】
２本以上のストックを脱着可能な接続具を備えたカメラ保持具
【考案の詳細な説明】
【考案の詳細な説明】
【技術分野】  写真撮影器具
【背景技術】  従来、カメラ保持具には三脚・一脚の他にはストックの上部にカメラ取付け器具を備えた一脚兼用のものがあった。
【考案が解決しようとする課題】
カメラぶれを防ぐ保持具としては三脚や一脚があるが、当該保持具を持参しての移動時、特に登山を含む移動時には多大な負担となっていた。本考案は登山等に使用するストックを脚として利用することにより、比較的軽量なカメラ保持具を開発しようとするものである。
【課題を解決するための手段】
２本以上のストックを脱着できる接続具を備えた器具にカメラ取付け器具を組み合わせ、ストックを脚として利用することにより比較的軽量なカメラ保持具を開発する。
【考案を実施するための最良の形態】  二脚式カメラ保持具・三脚式カメラ保持具
【実施例】  二脚式カメラ保持具（二本のストックを脱着できるカメラ保持具により、開脚方向へのカメラぶれを排除した製品例。）
【考案の効果】
本考案の場合、二脚式であるため前後・左右何れかの開脚方向への固定しかできず、もう一方の方向でのカメラぶれは排除できないが、カメラぶれの懸念が一方向に限定されるため、撮影者自身の保持により比較的容易にカメラぶれを排除する操作が可能となる。
三本以上のストックを脱着できるカメラ保持具の場合には、本実施例以上のカメラぶれ防止効果が得られる。
【図面の簡単な説明】
【図１】  二脚式カメラ保持具実施例
【図１】
0003108815.tif 000003
(57)【要約】      （修正有）【課題】工作機械の移動速度に追従する巻取り装置又は、それに変わるエプロンカバー螺旋収納装置を提供する。【解決手段】断面、略長方型の両側部に円形の窪みを有する複数の金属ブロックを、窪み部に合致した突出部を両側部に有するゴム弾性体で連結して成るエプロンカバーＡを収納する装置として、対向する壁面に金属または樹脂を用いたプレートＣを設置し、エプロンカバーＡを誘導する為の直線及び曲線あるいは両者の複合から成る溝をそれぞれのプレートＣに設け、エプロンカバーＡがプレートＣに設けられた溝に誘導される如く、螺旋状に収納するエプロンカバー収納装置。【選択図】図４
0003108812.tif 000002
【実用新案登録請求の範囲】
【請求項１】
断面、略長方型の両側部に円形の窪み１−ａ１を有する複数の金属ブロック１−ａを、前記窪み部に合致した突出部１−ｂ１を両側部に有するゴム弾性体１−ｂで連結して成るエプロンカバーＡを収納する装置として、対向する壁面に金属または樹脂を用いたプレートＣを設置し、エプロンカバーＡを誘導する為の直線及び曲線あるいは両者の複合から成る溝３−ａ、３−ｂをそれぞれのプレートＣに設け、エプロンカバーＡがプレートＣに設けられた溝３−ａ、３−ｂに誘導される如く、螺旋状に収納する事を特徴としたエプロンカバー収納装置。
【請求項２】
断面、略長方型の両側部に円形の窪み１−ａ１を有する複数の金属ブロック１−ａを、前記窪み部に合致した突出部１−ｂ１を両側部に有するゴム弾性体１−ｂで連結して成るエプロンカバーＡを収納する装置として、対向する壁面に金属または樹脂を用いたプレートＣを設置し、エプロンカバーＡを誘導する為の直線及び曲線あるいは両者の複合から成る溝３−ａ、３−ｂをそれぞれのプレートＣに設け、エプロンカバーＡがプレートＣに設けられた溝３−ａ、３−ｂに誘導される如く、収納する事を特徴としたエプロンカバー収納装置。
【考案の詳細な説明】
【技術分野】
【０００１】  本考案は、主として工作機械の保護カバー、その他一般産業機械の保護カバーとして活用するものに関する。
【背景技術】
【０００２】  従来、断面、略長方型の両側部に円形の窪み１−ａ１を有する複数の金属ブロック１−ａを、前記窪み部に合致した突出部１−ｂ１を両側部に有するゴム弾性体１−ｂで連結して成るエプロンカバーＡを収納する際、図２に示す様に巻取り装置Ｂを使用しエプロンカバーを巻取り装置の動力を利用し巻取り装置に巻取り収納していた。前記、エプロンカバーについては実用新案番号  第３０６８４５５号を本出願者は考案している。【０００３】  しかし、前記巻取り装置は、図は省略するが、巻取り動力として一般的に引張りスプリングや板バネを使用しており、構造的にも複雑かつ高価であり、重量的にも問題であった。【０００４】  又、前記巻取り装置は、近年の著しい高速化により、工作機械の移動速度に追従しにくく厳しい状況に置かれている。巻取り装置の動力である引張りスプリングや板バネは、金属疲労やヘタリおよび切削水の影響を受けて錆が発生し巻取り力の低下を招き、破損すると言った問題が発生していた。
【考案の開示】
【考案が解決しようとする課題】
【０００５】  工作機械の保護カバー、その他一般産業機械の保護カバーは、近年著しい高速化を遂げている。その為、移動速度に追従する巻取り装置又は、それに変わる破損しにくい装置の開発が必要であった。
【課題を解決するための手段】
【０００６】  かかる欠点を解消するため本考案者は鋭意改良を重ね、対向する壁面に溝を設けエプロンカバーＡを誘導し収納するといった画期的な装置により、問題を解決すると共に実用上優れた性能を発揮する装置を開発した。その内容について以下、図面に沿って説明する。
【実施例】
【０００７】  請求項１及び請求項２に記載のエプロンカバーＡの組付け図を図１に示す。図３、図４、図５に本考案の主体となすプレートＣの斜視図及び組付け図を示す。【０００８】  請求項１及び請求項２に記載のエプロンカバーＡ図１に於いて、断面、略長方型の両側部に円形の窪み１−ａ１を有する複数の金属ブロック１−ａを、前記窪み部に合致した突出部１−ｂ１を両側部に有するゴム弾性体１−ｂで連結して成るエプロンカバーＡを示す。【０００９】  対向する壁面に金属または樹脂を用いたプレートＣ（実施例では金属磨耗や、摩擦抵抗を考慮し樹脂プレートを使用した）を設置し、エプロンカバーＡを誘導する為の直線及び曲線あるいは両者の複合から成る溝３−ａ、３−ｂをそれぞれのプレートＣに設け、特に３−ｂ部分については、エプロンカバーＡがスムーズに作動する様に溝３−ａより溝幅を広くする事で、直線的な部分を持つ金属ブロック１−ａが円弧運動をしやすい状況を可能とする寸法とした。エプロンカバーＡがプレートＣに設けられた溝３−ａ、３−ｂに誘導される如く、螺旋状に収納する事を特徴としたエプロンカバー収納装置。【００１０】  次に、請求項１の組立方法について図５により説明する。先ず、ボルトとナット等にて連結されたプレートＣ及びガイドＤのそれぞれに設けられた溝３−ａ、３−ｂ、３−ｃにエプロンカバーＡを挿入し、対向するプレートＣ、ガイドＤを設置する事によって、形状を成し、螺旋状に収納する事を特徴としたエプロンカバー収納装置。【００１１】  次に、請求項２の組立方法について図５により説明する。先ず、ボルトとナット等にて連結されたプレートＣ及びガイドＤのそれぞれに設けられた溝３−ａ、３−ｂ、３−ｃにエプロンカバーＡを挿入し、対向するプレートＣ、ガイドＤを設置する事によって、形状を成した、エプロンカバー収納装置。
【考案の効果】
【００１２】  本考案により、軽量かつシンプルなエプロンカバー収納装置を可能にし、工作機械の移動速度にも追従した破損しにくい構造に成功した。社内の作動試験に於いても優れた結果となった。特に移動速度としては、以前の巻取り装置では、６０ｍ／ｍｉｎ程度が限界とされていたが、本装置の使用により、１２０ｍ／ｍｉｎでも安定した追従性を示した。
【図面の簡単な説明】
【図１】  エプロンカバーを示す斜視図である。
【図２】  従来のエプロンカバー巻取り装置を示す斜視図である。
【図３】  プレートとガイドの斜視図である。
【図４】  プレートにエプロンカバーが収納された状態を示す斜視図である。
【図５】  プレートとエプロンカバーの組立て斜視図である。
【符号の説明】
Ａ        エプロンカバー
Ｂ        巻取り装置
Ｃ        プレート
Ｄ        ガイド
１−ａ    金属ブロック
１−ａ１  円形の窪み
１−ｂ    ゴム弾性体
１−ｂ１  突出部
３−ａ    溝
３−ｂ    溝のコーナー部
３−ｃ    ガイドに設けた溝
【図１】
0003108812.tif 000003
【図２】
0003108812.tif 000004
【図３】
0003108812.tif 000005
【図４】
0003108812.tif 000006
【図５】
0003108812.tif 000007
(57)【要約】      （修正有）【課題】特別の熟練を要することなく、シーリング打設と同時にシーリング押えを簡単な作業の一工程で施工することができる外、シール性能が高く、養生テープを施さずにシール面を美麗に仕上げることができるシーリング押え付きシーリング打設器具を得る。【解決手段】シーリングガン及びシーリングカートリッジ１のシーリングノズル２に取り付けるソケット部３と、該ソケット３の先端に一体的に延設してなる下側開放のフード部４と、該フード部４と一体に下側開放で先方に移行するに従って窄まるシーリング溜り部５とその先端部のシーリング押え部６となる半円錐台状の空室とを連続形成し、該空室の両側縁８、８は同一平面に接する接触面としてなるものである。【選択図】図２
0003108811.tif 000002
【実用新案登録請求の範囲】
【請求項１】
シーリングガン及びシーリングカートリッジ１のシーリングノズル２に取り付けるソケット部３と、該ソケット３の先端に一体的に延設してなる下側開放のフード部４と、該フード部４と一体に下側開放で先方に移行するに従って窄まるシーリング溜り部５とその先端部のシーリング押え部６となる半円錐台状の空室７とを連続形成し、該空室７の両側縁８、８は同一平面に接する接触面としてなることを特徴とするシーリング押え付きシーリング打設器具。
【考案の詳細な説明】
【技術分野】
【０００１】  本考案は、シーリングガン及びシーリングカートリッジのノズル先端に簡単な構成の均し整形具を取り付けることにより、シーリング打設と同時にシーリング押えを一工程で施工が可能となるようにしたシーリング押え付きシーリング打設器具に関するものである。
【背景技術】
【０００２】  従来、シーリング用溝の無い継ぎ目或いは溝の小さい継ぎ目にシーリングを施工する場合、シーリングの打設をする打設工程と、シーリングの押えをするシーリング押え工程との二工程で行っているのが一般的である。【０００３】  即ち、通常、シーリング厚さの分の高さでシーリングの両側に土手を構築して施工しているが、そのようなシーリング工事は美観に問題がある。【０００４】  前記シーリングの押え作業時には必然的にそのシール部周囲を汚すことが避けられないため、作業に先立って予めシール部外縁に養生テープ（マスキングテープ）の貼り付けが必要である。【０００５】  しかし、養生テープの貼付は、等間隔に且つ剥がし易く貼ることが必要であるうえに、出来上がりのシール面の美しさにも関係するので、一見では簡単な作業のようであるが、素人ではかなり難しい作業である。
【考案の開示】
【考案が解決しようとする課題】
【０００６】  そこで、本考案は、特別の熟練を要することなく、シーリング打設と同時にシーリング押えを簡単な作業の一工程で施工することができる外、シール性能が高く、養生テープを施さずにシール面を美麗に仕上げることができるシーリング押え付きシーリング打設器具を得ようとするものである。
【課題を解決するための手段】
【０００７】  本考案は、上記の如き観点に鑑みてなされたものであって、その主たる構成は、シーリングガン及びシーリングカートリッジ１のシーリングノズル２に取り付けるソケット部３と、該ソケット３の先端に一体的に延設してなる下側開放のフード部４と、該フード部４と一体に下側開放で先方に移行するに従って窄まるシーリング溜り部５とその先端部のシーリング押え部６となる半円錐台状の空室７とを連続形成し、該空室７の両側縁８、８は同一平面に接する接触面としてなるシーリング押え付きシーリング打設器具を提供しようとするものである。
【考案の効果】
【０００８】  本考案に係るシーリング押え付きシーリング打設器具は、上記の如き手段を講じてあるから、先ず、シーリングガン及びシーリングカートリッジ１のシーリングノズル２に対してソケット部３を取り付け、半円錐台状の空室７の開放側を下方に向けて設定してから、シーリング９を施工しようとするシーリング用溝の無い継目或は溝の小さい継目１０などの上で、シーリング溜り部５とその先端部のシーリング押え部６となる半円錐台状の空室７の両側縁８，８を該シーリング面１１に接触する角度位置でシーリングガン及びシーリングカートリッジ１を手で保持する。【０００９】  そこで、シーリングガンを作動させ、それによりシーリングカートリッジのシーリングノズル２から流れ出たシーリング材１２はフード部４に覆われた開放下の継目１０の上に垂れ落ちる。そこで、そのシーリング材１２の流出量に相応する所要の速さでシーリングガン及びシーリングカートリッジ１をその継目１０に沿って移動していくと、継目１０の上に落ちたシーリング材１２は空室７のシーリング溜り部５の中に自然に掻き寄せられ、その先端部のシーリング押え部６から継目１０の上に沿って一定に整形された状態で押し出され、周囲を汚すことなく、きれいに打設される。【００１０】  前記のように、シーリングカートリッジ１のシーリングノズル２から流出したシーリング材１２は、空室７の移動に従ってシーリング溜り部５からシーリング押え部６に流れる過程で圧縮され、該圧縮力がシーリング押え作用となって十分なシール性能を発揮する。【００１１】  このように、本考案に係るシーリング押え付きシーリング打設器具によるシーリング作業によれば、シーリング打設と同時にシーリング押えを一工程で施工できる外、作業に先立つ養生テープの貼り付けを一切必要とすることがないことと相俟ってシーリングの作業能率の一層の向上に貢献するだけでなく、シール面を美麗に仕上げることができる。
【考案を実施するための最良の形態】
【００１２】  以下、図面を参照しながら説明する。
図１は本考案一実施例の使用状態の構成を示す斜視図であり、図２はシーリング押え付きシーリング打設器具の一実施例の構成を示す斜視図である。図中、シーリングガン及びシーリングカートリッジ１のシーリングノズル２に取り付けるソケット部３が一端部に形成されている。【００１３】  前記ソケット部３の他端には下側開放のフード部４が一体的に延設され、該フード部４と一体に下側開放で先方に移行するに従って窄まるシーリング溜り部５とその先端部のシーリング押え部６となる半円錐台状の空室７が連続形成されている。【００１４】  前記空室７の両側縁８、８は同一平面に対して接する接触面として、該空室７は側方に対して封止されるようにしてある。９はシーリング、１０は継目、１１はシーリング面、１２はシーリング材である。
【図面の簡単な説明】
【００１５】
【図１】本考案一実施例の使用状態の構成を示す斜視図である。
【図２】シーリング押え付きシーリング打設器具の一実施例の構成を示す斜視図である。
【符号の説明】
【００１６】  １  シーリングガン及びシーリングカートリッジ
２  シーリングノズル
３  ソケット部
４  下側開放のフード部
５  シーリング溜り部
６  シーリング押え部
７  半円錐台状の空室
８  側縁
９  シーリング
１０  継目
１１  シーリング面
１２  シーリング材
【図１】
0003108811.tif 000003
【図２】
0003108811.tif 000004
(57)【要約】【課題】付箋紙における無駄ない十分な利用を促進する構造を具有する付箋紙を提供する。【解決手段】付箋紙１上に折線３等を設け、正面Aにメモを書いた後でも該折線３を折ることにより、背面Bにメモが書けるようにする。【選択図】        図３   
0003108881.tif 000002
【実用新案登録請求の範囲】
【請求項１】
片側に粘着剤が設けられた付箋紙において、
該粘着剤下方の適当な位置には少なくとも一つの折線が設けられていることを特徴とする付箋紙。
【請求項２】
該折線を設ける位置は、該粘着剤の最下部に隣接した個所であることを特徴とする請求項１記載の付箋紙。
【請求項３】
該折線とは付箋紙上にて凹型に窪み、且つ連続した直線であることを特徴とする請求項１記載の付箋紙。
【請求項４】
該折線とは付箋紙上にて凹型に窪み、且つ連続していない直線であることを特徴とする請求項１記載の付箋紙。
【請求項５】
該折線はミシン目であることを特徴とする請求項１記載の付箋紙。
【請求項６】
該折線は、付箋紙における粘着剤の施されていない一面の下方に形成させることを特徴とする請求項１記載の付箋紙。
【考案の詳細な説明】
【技術分野】
【０００１】
本考案は付箋紙に係り、特に粘着剤が設けられており、且つ付箋紙の裏表のスペースが無駄なく十分に利用されるための構造を具有する付箋紙に関わる。
【背景技術】
【０００２】
特殊な材質による粘着剤の設けられた付箋紙は、その適度な粘着性により、貼るのが便利で、且つ剥がすのが容易で跡が残らないことから、簡単なメッセージやメモを残すのに様々な場所で重宝されている。
【考案の開示】
【考案が解決しようとする課題】
【０００３】
上述のような従来における付箋紙における欠点として、メモの役割を終えるとゴミとなり捨てられるが、付箋紙上のスペース（特に裏面）が十分に利用される工夫がなされておらず、資源の無駄遣いに繋がっている。
そこで付箋紙における無駄のない十分な利用を促進するべく本考案の付箋紙を提供する。
【課題を解決するための手段】
【０００４】
付箋紙上に折線等を設け、正面にメモを書いた後でも該折線を折ることにより、背面にメモが書けるようにする。
【考案の効果】
【０００５】
本考案によると、簡単な折線構造により付箋紙が折りやすくなり、且つ使用者に背面にメモを書くこと行為が促され、消費者の負担及び資源の無駄遣いを低減させる効果が提供された。
【考案を実施するための最良の形態】
【０００６】
図１，２に示すように、本考案の付箋紙１の片側には粘着剤２が設けられ、該粘着剤２下方に位置する付箋紙１上には少なくとも一本の折線３が設けられ、該付箋紙１背面の空間を十分に利用されるようにする。該折線３の最適な位置は該粘着剤２最下部に最も接近した個所、且つ該粘着剤２の粘着を妨げない個所とする。該折線３の形成においては、機械により連続した（或いは連続していない）凹型の窪みを設けて折線をプレスする方式、或いは機械によりミシン目を形成する方式、及びその他の方式とし、基本的には該付箋紙１が該折線３により180度折り曲げることができるものであればよいとする。
【０００７】
図３に示すように、通常で該付箋紙１を使用する際は、従来の使用方法同様に、使用者が正面Aの空白個所にメモを記し、背面Bの粘着剤２で物体４の所望の個所に貼り付ける。図４，５に示すように、例えば正面Aのメモが一杯になり、背面Bにメモを記すべく該付箋紙１の背面を使用する際は、先ず該折線３の位置に沿って該粘着剤２（或いは付箋紙１）の個所を180度折り曲げ、貼り合せるようにすることにより、背面Bが表に現れ、該背面Bの空白個所にメモを加えることができるようにする。即ち該折線３の設置により、折るのが容易になっている他、使用者に背面の利用を促す効果を提供することで、ゴミの量を減らすのに役立つようにする。
【図面の簡単な説明】
【０００８】
【図１】本考案の正面図である。
【図２】本考案の背面図である。
【図３】本考案使用時における断面拡大図である。
【図４】本考案を折った状態を示す図である。
【図５】本考案におけるもう一つの実施状態を示す断面拡大図である。
【符号の説明】
【０００９】
１  付箋紙
２  粘着剤
３  折線
４  物体
A  正面
B  背面
【図１】
0003108881.tif 000003
【図２】
0003108881.tif 000004
【図３】
0003108881.tif 000005
【図４】
0003108881.tif 000006
【図５】
0003108881.tif 000007
(57)【要約】【課題】  既存の西洋式便器の便座本体へ取手を取り付け、便座に手を直接触れることなく衛生的に且つ衛生さを維持しながら容易に便座の上下を可能にする。【解決手段】  取手本体１の２及び３により容易に脱着し洗争することを可能とし、常に衛生的且つその衛生さを維持できるようにするとともに、取手本体１の邪魔にならない大きさと４の湾曲した形状により何人が簡単に且つ安全に便座を上下することを可能にする。【選択図】  図１
0003108801.tif 000002
【実用新案登録請求の範囲】
【請求項１】
既存西洋式便器の便座の右側前方もしくは左側前方の適当な位置に、両面テープや螺子等の固定金具を使用せず、また便座本体を加工することなく形状及び素材の弾力性を利用し簡単容易な着脱が可能であり、直接便座本体に手を触れることなく子供から大人までが軽い力で開閉できることを特徴とする衛生的且つ衛生維持可能な西洋式便器便座取手。
【考案の詳細な説明】
【技術分野】
【０００１】  本考案は便座に着脱可能な取手を取付けることにより、直接便座に手を触れることなく衛生的且つ容易に上下可能な西洋式便器便座に関するものである。
【背景技術】
【０００２】  咋今の西洋式便器便座については、便器本体の蓋部分が自動的に開閉される仕組みとなっている商品が一部普及しているものの、便座部分については従来より手で直接触れなければ上下することが不可能であった。【０００３】  一般家庭においては無論のこと、衛生さが大原則の病院等の入院施設における洋式便座ですらも手で直接触るしか方法はなかった。
【考案の開示】
【考案が解決しようとする課題】
【０００４】  除菌洗浄技術が進歩しているものの、その衛生さを常に維持することは困難であり、老若男女が安心して手で触ることは不可能である。また、一般家庭や病院の入院施設等において便座を衛生的に且つ衛生さを常に維持できるようにするためには、手を使わずに便座を自動的に上下させる方法の開発が不可欠であるが、購入設置者の経済的負担も大きい。【０００５】  本考案は、これらの問題を解消し何人が何時でも衛生的に且つ容易に便座を上下させることが可能となるよう、また、その衛生さの維持が可能となるよう提案するものである。
【課題を解決するための手段】
【０００６】  本考案の技術解決手段は、既存の西洋式便器の便座本体に、金具等による取付加工跡や傷をつけぬよう簡単に脱着することが可能な形状と、使用者が便座に腰掛けた場合に邪魔にならぬような大きさの取手を設けることとした。
【考案の効果】
【０００７】  本考案の取手は、手で直接便座に触れることなく衛生的且つ容易に便座の上下が可能である。しかも、簡単に脱着することが可能であり常に取手を取り外して洗浄をすることでその衛生さを維持することが可能である。また、あくまでも既存の西洋式便器の便座を利用し取り付けるため経済的負担も少ない。
【考案の実施するための最良の形態】
【０００８】  以下、本考案の実施形態を図１〜図３に基づいて説明する。
【０００９】  図１及び図２において、取手本体１の２及び３は取手を螺子等の固定金具を使用せずに簡単に脱着可能にするため便座断面に合わせた角度で構成している。特に４は、便座前方断面の横幅寸法より若干の余裕をもたせ、３の角度との連動により使用者の好みに合った位置に弾力性のある取手本体を構成する材質の特性を生かし適切な固定をすることが可能となる。さらにそれは、取手の汎用性を示し各メーカーの寸法の違う便座へも取り付けが可能となる。
【００１０】  また、取手本体１の２、３，４には暖房便座にも対応可能な５の耐熱用ラバーを貼り付け滑り止め効果と便座本体への傷付防止措置を施しさらに確実な取手の固定を可能とする。
【００１１】  ６については、使用者が当該取手を取り付けた便座に腰掛けた場合に被服等に引っ掛かりにくいように大きく下方に湾曲させ安全で邪魔にならない形状とする。
【００１２】  図３において、便座に上述により確実に固定された取手は指先の軽い力でその使用目的に応じ容易に上下することが可能であり且つ極めて衛生的に操作できる。
【図面の簡単な説明】
【００１２】
【図１】  本考案の実施形態を示す衛生的便座取手の全体図
【図２】  本考案の衛生的便座取手の取り付け断面図
【図３】  本考案の衛生的便座取手の取り付け斜面図
【符号の説明】
【００１３】      １    取手本体
２    便座内側固定用爪
３    便座外側固定用爪
４    便座下面渡り板
５    取手本体への貼り付けラバー
６    上下操作取手部分
【図１】
0003108801.tif 000003
【図２】
0003108801.tif 000004
【図３】
0003108801.tif 000005
【手続補正書】
【提出日】平成16年12月20日(2004.12.20)
【手続補正１】
【補正対象書類名】実用新案登録請求の範囲
【補正対象項目名】全文
【補正方法】変更
【補正の内容】
【実用新案登録請求の範囲】
【請求項１】
取手本体の両端に便座断面の内側と外側それぞれの角度に合わせた固定用の爪を設け、外側部分の固定用爪の断面をＳ字型に形成することと、取手本体の素材を構成する材質の特性を生かし弾力性をもたせると共に取手本体の固定部分にラバーを貼り付け便座本体への傷付き防止と滑り止め効果をもたせ、汎用の西洋式便器の便座裏側の右側あるいは左側の適当な位置に確実に固定させ、さらに、簡単な着脱が可能となることを特徴とする衛生的且つ衛生維持可能な西洋式便器便座取手。
(57)【要約】      （修正有）【課題】敷設ケーブルへの潤滑剤塗布作業に際して、潤滑剤が飛散することなく、ケーブルに均等に塗布する作業を無人で行える敷設用潤滑剤塗布具を提供する。【解決手段】円柱状のスポンジ１１に円柱方向にスリット１４を付け、スポンジを円筒状の容器１２に収納すると共に、容器にはケーブル包装箱に取付可能とする固定板１３を有することを特徴とする。潤滑剤を染み込ませたスポンジ１１の中をケーブルを通過させることで、潤滑剤をケーブルに均等に塗布するこが可能となる。【選択図】図１
0003108808.tif 000002
【実用新案登録請求の範囲】
【請求項１】
ケーブルを敷設する際、敷設を容易にする為にケーブルに潤滑剤を塗布する工具であって、潤滑剤を染み込ませるスポンジにはケーブルを通過可能にするスリットを有し、スポンジは両端が開放された容器の中に収納された敷設用潤滑剤塗布具。
【請求項２】
前記スポンジ収納容器の底面には、ヘアピン状の曲線をした固定板を有する請求項１に記載の敷設用潤滑剤塗布具。
【考案の詳細な説明】
【考案の詳細な説明】
【技術分野】
【０００１】  本考案はケーブル敷設治具に係わり、ケーブルを敷設する際の潤滑剤塗布作業を行うのに適したケーブル敷設治具に関するものである。
【背景技術】
【０００２】  従来、ケーブルを敷設する場合は、ケーブルの張力を減らす目的で潤滑剤をブラシでケーブルに塗布していた。
【考案が解決しようとする課題】
【０００３】  しかし上記方法ではケーブルに塗りむらができて十分な効果が発揮されなかった。また、ケーブルの敷設作業中、作業員を配置し続けなければならなかった。
【０００４】  潤滑剤がフロアに飛散すると、フロアが滑りやすくなり、転倒事故が発生していた。
【０００５】  本考案は、上記課題を解決し敷設ケーブルへの潤滑剤塗布作業に際して、潤滑剤が飛散ことなく、ケーブルに均等に塗布する作業を無人で行える敷設用潤滑剤塗布具を提供することを目的とする。
【課題を解決するための手段】
【０００６】  上記目的を達成するために、本考案では潤滑剤を染み込ませるスポンジにケーブルを通過可能にするスリットを有し、スポンジは両端が開放された容器の中に収納されると共に、本考案をケーブル包装箱に安定させるための固定板を有することを特徴とする。
【０００７】    前記スポンジにはケーブルがスポンジのスリット内を通過する際、ケーブル全体にスポンジが接触するように細いスリットとすることを特徴とする。また、前記容器はケーブルが通過可能な開口部を有するが、容器の中に収納したスポンジが容器外に容易に飛び出さないために、容器外径より小さい開口部とすることを特徴とする。前記固定板は、ストレートな端をスポンジ収納容器底面に固定し、ヘアピン状に曲線をした端をケーブル包装箱のケーブル取り出し口にはさみ付けることを特徴とする。
【考案を実施するための最良の形態】
【０００８】  以下に本考案に係わる実施の形態を添付図面を参照して説明する。
図１は本考案品の構造を示している。本考案品の基本的な構造としては、中心に細いスリット（１４）を有した円柱状のスポンジ（１１）と両端に開口部（１５）を有するスポンジ収納器（１２）と収納器を固定する固定板（１３）を備える。【０００９】  前記スポンジ（１１）は、図１に示されるように円柱状のスポンジに円柱方向にスリット（１４）を有している。また、スポンジ（１１）の外径はスポンジ収納器（１２）の内径と同等に形成されている。図２に示されるように、スリット（１４）から潤滑剤（２１）をスポンジ（１１）に染み込ませておく。図３に示されるように、スポンジ（１１）に設けられたスリット（１４）内をケーブル（３３）が通過するため、ケーブルに潤滑剤（２１）をまんべんなく塗布することが可能となる。【００１０】  前記スポンジ収納器（１２）は図１に示されるように、両端に開口部（１５）を有した円筒をしている。開口部（１５）の直径は円筒の直径より小さく形成されているため、中に入っているスポンジ（１１）は、スリット（１４）内を通過するケーブル（３３）との摩擦抵抗で移動しようとするが、スポンジ収納器（１２）の外へ飛び出すことはない。【００１１】  前記固定板（１３）は図１に示されるように、ヘアピン状に成形され、一端をスポンジ収納器（１２）の底面に固定し、他端を図３に示されるように、広げてケーブル包装箱（３１）のケーブル取り出し口（３２）を挟み、固定することが可能である。
【実施例】
【００１２】  以下、本案の実施例について説明する。
（イ）図２の通り、潤滑剤（２１）を敷設用潤滑剤塗布具（１０）のスリット（１４）からスポンジ（１１）に染み込ませる。
（ロ）図３の通り、敷設用潤滑剤塗布具（１０）の固定板（１３）を広げ、ケーブル包装箱（３１）のケーブル取り出し口（３２）を挟み固定する。ケーブル（３３）のけん引方向は、固定板（１３）が安定する方向なので、敷設用潤滑剤塗布具が途中で脱落することはない。
（ハ）ケーブル包装箱（３１）のケーブル取り出し口（３２）から引き出したケーブル（３３）を、敷設用潤滑剤塗布具（１０）のスリット（１４）を通すとケーブル（３３）全体に潤滑剤が塗布される。【００１３】  本考案は以上のような構造で、敷設するケーブル（３３）と既設ケーブル及び敷設するケーブル（３３）と配管との摩擦抵抗が減少する。
【考案の効果】
【００１４】  以上のように、本考案によれば、摩擦抵抗が大きくて敷設できなかった環境でも敷設が可能となる。また、敷設作業中、常時配置していた作業員を削減して、作業の効率を上げることが可能となる。潤滑剤がフロアに飛散しないため、転倒事故を防止できる。
【図面の簡単な説明】
【図１】  本考案の敷設用潤滑剤塗布具の組み立て図である。
【図２】  本考案の敷設用潤滑剤塗布具に潤滑剤を染み込ませる状況の斜視図である。
【図３】  本考案の敷設用潤滑剤塗布具をケーブル包装箱取付た後、ケーブルを通過させる状況の斜視図である。
【符号の説明】
１０  敷設用潤滑剤塗布具
１１  スポンジ
１２  スポンジ収納器
１３  固定板
１４  スリット
１５  開口部
２１  潤滑剤
３１  ケーブル包装箱
３２  ケーブル取り出し口
３３  ケーブル
【図１】
0003108808.tif 000003
【図２】
0003108808.tif 000004
【図３】
0003108808.tif 000005